(57)【要約】      （修正有）【課題】複数の樹脂版を積層して収納した場合に、樹脂版に付着した塵埃やフィルム屑などによって樹脂版表面が傷つくのを抑制できる樹脂版収納用段ボールケースを提供する。【解決手段】蓋材、床材２、額縁材３からなる樹脂版収納用段ボールケースであって、樹脂版２０が、緩衝材５の間に挟み込まれた状態で収納されている。また、交互に積層された樹脂版と緩衝材からなる積層体の最上部と最下部に、少なくとも樹脂版側の面がコーティング処理された厚紙６Ｄ，６Ｕが配置されている。【選択図】図６
0003203231.tif 000002
【実用新案登録請求の範囲】
【請求項１】
蓋材、床材、額縁材からなる樹脂版収納用段ボールケースであって、樹脂版が、緩衝材と緩衝材との間に挟み込まれた状態で収納されていることを特徴とする樹脂版収納用段ボールケース。
【請求項２】
交互に積層された前記樹脂版および前記緩衝材からなる積層体の最上部と最下部に、少なくとも前記樹脂版側の面がコーティング処理された厚紙が配置されていることを特徴とする請求項１に記載の樹脂版収納用段ボールケース。
【請求項３】
最上部の前記厚紙と前記蓋材との間に空隙が形成されていることを特徴とする請求項２に記載の樹脂版収納用段ボールケース。
【請求項４】
前記樹脂版が感光性樹脂版であり、当該観光性樹脂版が遮光シートで保護されていることを特徴とする請求項１から３のいずれか一項に記載の樹脂版収納用段ボールケース。
【請求項５】
前記樹脂版とともに乾燥剤が収納されていることを特徴とする請求項１から４のいずれか一項に記載の樹脂版収納用段ボールケース。
【考案の詳細な説明】
【技術分野】
【０００１】
本考案は、樹脂版収納用段ボールケースに関する。
【背景技術】
【０００２】
フレキソ印刷用の感光性樹脂版をはじめとする各種樹脂版を収納するためのケースが利用されている。このような収納ケースは、収納した樹脂版を保管し、あるいは輸送する手段として好適である（例えば、特許文献１参照）。
【先行技術文献】
【特許文献】
【０００３】
【特許文献１】特開平１１−１３００６７号公報
【考案の概要】
【考案が解決しようとする課題】
【０００４】
しかしながら、樹脂版収納用段ボールケースに複数の樹脂版を積層して収納すると、樹脂版に付着した塵埃やフィルム屑などが樹脂版表面を傷つけることがある。
【０００５】
本考案は、複数の樹脂版を積層して収納した場合に、樹脂版に付着した塵埃やフィルム屑などによって樹脂版表面が傷つくのを抑制する樹脂版収納用段ボールケースを提供することを目的とする。
【課題を解決するための手段】
【０００６】
かかる課題を解決するべく、本考案は、蓋材、床材、額縁材からなる樹脂版収納用段ボールケースであって、
樹脂版が、緩衝材と緩衝材との間に挟み込まれた状態で収納されていることを特徴とする。
【０００７】
樹脂版に付着した塵埃やフィルム屑などは、樹脂版を積層した際、樹脂版表面の極小部位に圧力を作用させて傷を生じさせる場合があるが、この樹脂版収納用段ボールケースによれば、樹脂版と樹脂版との間に挟み込まれた緩衝材が変形することによって圧力を吸収する。したがって、これら塵埃やフィルム屑などによって樹脂版の表面が傷つくのを抑制することができる。
【０００８】
また、一定以上の摩擦力を有する緩衝材を採用することで、積層された樹脂版が当該ケースの保管の際や輸送中にずれてその影響で変形等するのを抑止することができる。
【０００９】
この樹脂版収納用段ボールケースにおいては、交互に積層された前記樹脂版および前記緩衝材からなる積層体の最上部と最下部に、少なくとも前記樹脂版側の面がコーティング処理された厚紙が配置されていることが好ましい。これら厚紙は、床材および蓋材の凹凸に起因する影響を吸収し、樹脂版が変形するのを抑止する。また、コーティングによって厚紙の表面における平滑性が向上し、樹脂版収納時の自重等の圧力がかかった際に厚紙の微細な凹凸が樹脂版に転写することを防止し、表面変形等を抑制できる。しかも、コーティングにより滑り性が向上することにより、樹脂版の偏り等を解消することができる。
【００１０】
また、最上部の前記厚紙と前記蓋材との間に空隙が形成されていることが好ましい。これによれば、蓋材や床材の凹凸や撓み、反りにより樹脂版が受ける影響を減少させることができる。
【００１１】
また、前記樹脂版が感光性樹脂版であり、当該観光性樹脂版が遮光シートで保護されていてもよい。これによれば感光性樹脂版の性能を保持しやすい。
【００１２】
樹脂版収納用段ボールケースにおいて、前記樹脂版とともに乾燥剤が収納されていてもよい。この場合には、吸湿による樹脂版の変形が抑制される。
【００１３】
また、課題を解決するべく、以下のようにしてもよい。すなわち、
蓋材、床材、額縁材からなる樹脂版収納用段ボールケースへ樹脂版を収納する方法であって、
少なくとも前記樹脂版側を向く面がコーティング処理された下厚紙を前記床材の上に配置し、
該下厚紙の上に、前記樹脂版と緩衝材とを、前記緩衝材と緩衝材との間に前記樹脂版が挟み込まれる態様で交互に積層し、
最上段の前記樹脂版の上に、少なくとも該樹脂版側を向く面がコーティング処理された上厚紙を配置し、
該上厚紙と前記蓋材との間に空隙が形成された状態とすることを特徴とする、樹脂版収納用段ボールケースへの樹脂版の収納方法。
【００１４】
この収納方法において、前記下厚紙、前記樹脂版、前記緩衝材および前記上厚紙を遮光シートで包み保護することとしてもよい。
【考案の効果】
【００１５】
本考案によれば、複数の樹脂版を積層して収納した場合に、樹脂版に付着した塵埃やフィルム屑などによって樹脂版表面が傷つくのを抑制することができる。
【図面の簡単な説明】
【００１６】
【図１】樹脂版収納用段ボールケースの一例を示す全体斜視図である。
【図２】床材から蓋材を外した状態の樹脂版収納用段ボールケースの全体斜視図である。
【図３】本考案に係る樹脂版収納用段ボールケースにおける樹脂版、緩衝材、厚紙などの収納状態を説明する図である。
【図４】図３のIV-IV線における樹脂版収納用段ボールケースなどの断面図である。
【図５】樹脂版、緩衝材および厚紙を遮光シートで包んだ状態を説明する樹脂版収納用段ボールケースなどの断面図である。
【図６】本考案に係る樹脂版収納用段ボールケースにおける樹脂版、緩衝材、厚紙などの収納状態の概略を示す図である。
【考案を実施するための形態】
【００１７】
以下、図面を参照しつつ本考案の好適な実施形態について詳細に説明する（図１等参照）。図１等においては、本考案を、フレキソ印刷用感光性樹脂版２０を収納する樹脂版収納用段ボールケース１０に適用した例を示しつつ説明する。なお、フレキソ印刷用感光性樹脂版は好適な一例にすぎず、この他、凸版印刷用のゴム板、アクリル板など平滑な樹脂板や、フィルムなどを収納するケースに本考案を適用することもできる。
【００１８】
樹脂版収納用段ボールケース１０は、蓋材１、床材２、額縁材３を含む構成となっている。この樹脂版収納用段ボールケース１０には、フレキソ印刷用感光性樹脂版２０とともに、緩衝材５、下厚紙６Ｄ、上厚紙６Ｕが収納される（図３、図４等参照）。
【００１９】
蓋材１は、床材２および額縁材３の上面に覆い被せられる被せ蓋であり、これら床材２および額縁材３と箱を形成する。本実施形態の蓋材１は、矩形の天面部１Ａと、該天面部１Ａの四辺で下向きに折り曲げられた４つの側面部１Ｂとからなる段ボールシートによって形成されている（図１、図２参照）。床材２および額縁材３に覆い被せられた蓋材１は、樹脂版収納用段ボールケース１０に収納されたフレキソ印刷用感光性樹脂版２０に光が照射されるのを防ぎ、樹脂版収納用段ボールケース１０に塵埃が入り込むのを抑止し、また、樹脂版収納用段ボールケース１０以外の箇所に接触する等によりフレキソ印刷用感光性樹脂版２０に傷が付くのを防止する。
【００２０】
床材２は、樹脂版収納用段ボールケース１０の床部分（底面部）を形成する部材であり、例えば、鉛直方向に孔が延びるハニカム構造の段ボールシートによって矩形に形成されることで、耐圧性能に優れたものとなる（図２参照）。この場合、樹脂版収納用段ボールケース１０に複数のフレキソ印刷用感光性樹脂版２０を積層して重量が嵩んだ場合にも、当該床材２の撓み、特に中央部付近における撓みが極力抑えられる。なお、必要に応じて、床材２の上面に、平坦面を有する床板材（図示省略）を設けてもよい。
【００２１】
額縁材３は、床材２の四辺に取り付けられて側壁を形成する。本実施形態では、床材２の長辺に取り付けられる一対の長額縁材３（３Ｌ）と、床材２の短辺に取り付けられる一対の短額縁材３（３Ｓ）とを採用している（図２参照）。長額縁材３（３Ｌ）の長さは、床材２の長辺の長さに略等しい。短額部材３（３Ｓ）の長さは、床材２の短辺の長さに比して、長額縁材３（３Ｌ）の幅２本分、短い（図２参照）。
【００２２】
なお、額縁材３は、相当程度の強度を備えた部材で構成されていることが好適である。このような額縁材３は、例えば複数の樹脂版収納用段ボールケース１０が積み上げられた場合に、当該樹脂版収納用段ボールケース（とくに、下方の樹脂版収納用段ボールケース）１０が潰れないように支え、内部に収納されたフレキソ印刷用感光性樹脂版２０に上から圧力が作用するのを抑止する。
【００２３】
緩衝材５は、フレキソ印刷用感光性樹脂版２０を上下から挟み込むようにしてフレキソ印刷用感光性樹脂版２０と交互に積層され、これらフレキソ印刷用感光性樹脂版２０とともに樹脂版収納用段ボールケース１０に収納される（図４等参照）。緩衝材５は、例えば発泡ＰＥシートなどで構成されたクッション性（柔軟性）を備える部材であり、フレキソ印刷用感光性樹脂版２０に塵埃やフィルム屑などが付着している場合に、該クッション性により局所的に変形して圧力を吸収し、これら塵埃やフィルム屑などによってフレキソ印刷用感光性樹脂版２０の表面に傷がつくのを抑制する。
【００２４】
また、本実施形態では、表面に一定程度以上の静摩擦力を有する緩衝材５を採用している。この緩衝材５は、積層状態で樹脂版収納用段ボールケース１０に収納されたフレキソ印刷用感光性樹脂版２０が、当該樹脂版収納用段ボールケース１０を保管のために動かす際、あるいは輸送する際にずれるのを抑制する。これによれば、ずれた際の影響でフレキソ印刷用感光性樹脂版２０に変形等が生じることを抑止することができる。
【００２５】
下厚紙６Ｄおよび上厚紙６Ｕは、積層されたフレキソ印刷用感光性樹脂版２０からなる積層体の最下部および最上部のそれぞれに配置される部材で、床材２あるいは蓋材１の凹凸を吸収し、凹凸があることによって生じうるフレキソ印刷用感光性樹脂版２０の変形を抑制する縁切り材として機能する。また、下厚紙６Ｄおよび上厚紙６Ｕは、とくに樹脂版収納用段ボールケース１０が積み重ねられた場合の上下方向荷重によるフレキソ印刷用感光性樹脂版２０への影響を極力排除する縁切り材としても機能する。下厚紙６Ｄおよび上厚紙６Ｕは例えば段ボールシートのような厚紙（一例として、厚み１〜３ｍｍ程度）からなり、フレキソ印刷用感光性樹脂版２０の大きさに合わせて矩形に形成されている。
【００２６】
また、下厚紙６Ｄおよび上厚紙６Ｕの少なくともフレキソ印刷用感光性樹脂版２０に接する面は、コーティング処理されている。コーティング処理されることによって、下厚紙６Ｄおよび上厚紙６Ｕの表面における平滑性が向上し、フレキソ印刷用感光性樹脂版２０を収納した時の自重等の圧力がかかった際、下厚紙６Ｄおよび上厚紙６Ｕの微細な凹凸がフレキソ印刷用感光性樹脂版２０に転写することを防止し、表面変形等を抑制することができる。しかも、コーティングにより滑り性が向上することにより、フレキソ印刷用感光性樹脂版２０の偏り等を解消することができる。
【００２７】
ここで、樹脂版収納用段ボールケース１０にフレキソ印刷用感光性樹脂版２０を収納する手順の一例を示すと以下のとおりとなる。すなわち、
少なくともフレキソ印刷用感光性樹脂版２０側を向く面がコーティング処理された下厚紙６Ｄを床材２の上に配置し、
該下厚紙６Ｄの上に、フレキソ印刷用感光性樹脂版２０と緩衝材５とを、緩衝材５と緩衝材５との間にフレキソ印刷用感光性樹脂版２０が挟み込まれる態様で交互に積層し、
最上段のフレキソ印刷用感光性樹脂版２０の上に、少なくとも該フレキソ印刷用感光性樹脂版２０側を向く面がコーティング処理された上厚紙６Ｕを配置する（図４、図６参照）。
【００２８】
このとき、上厚紙６Ｕと蓋材１との間に空隙Ｓが形成された状態とすることが好ましい（図４参照）。こうすることにより、蓋材１や床材２の凹凸や撓み、反りによりフレキソ印刷用感光性樹脂版２０が受けることのある影響を減少させることができる。
【００２９】
また、樹脂版収納用段ボールケース１０にフレキソ印刷用感光性樹脂版２０を収納する際、下厚紙６Ｄ、緩衝材５、上厚紙６Ｕともども、フレキソ印刷用感光性樹脂版２０を遮光シート７で包んで保護してもよい（図５参照）。こうした場合、フレキソ印刷用感光性樹脂版２０の性能を保持しやすい。
【００３０】
また、樹脂版収納用段ボールケース１０にフレキソ印刷用感光性樹脂版２０を収納する際、併せて乾燥剤（図示省略）を収納してもよい。こうした場合、吸湿によるフレキソ印刷用感光性樹脂版２０の変形を抑制することができる。
【００３１】
上述のごとく額縁材３を外側に転回させて樹脂版収納用段ボールケース１０の側部（側壁）を開閉可能とした機構（サイドオープン機構）によれば、収納されているフレキソ印刷用感光性樹脂版２０を樹脂版収納用段ボールケース１０の側部から取り出すことができる。
【００３２】
なお、上述の実施形態は本考案の好適な実施の一例ではあるがこれに限定されるものではなく本考案の要旨を逸脱しない範囲において種々変形実施可能である。例えば、上述した実施形態において採用した段ボールシートは樹脂版収納用段ボールケース１０を構成する代表的な素材だが、これ以外の紙材、あるいは紙材以外の素材を用いることが妨げられることはない。
【００３３】
また、上述の実施形態では、フレキソ印刷用感光性樹脂版２０と緩衝材５とを、フレキソ印刷用感光性樹脂版２０を緩衝材５で上下から挟み込むように交互に積層する態様を示したが、本明細書でいう交互に積層とは、フレキソ印刷用感光性樹脂版２０と緩衝材５とを１枚ずつ順番に積み重ねる場合に限られない。上述した実施形態と同様の作用効果が実現される態様であれば、上述以外の態様、例えば、フレキソ印刷用感光性樹脂版２０とフレキソ印刷用感光性樹脂版２０との間の緩衝材５を適宜２枚以上とする態様としても構わない。
【産業上の利用可能性】
【００３４】
本考案は、フレキソ印刷用の感光性樹脂版をはじめとする各種樹脂版を収納するためのケースに適用して好適である。
【符号の説明】
【００３５】
１…蓋材
２…床材
３…額縁材
５…緩衝材
６Ｄ…下厚紙（縁切り材）
６Ｕ…上厚紙（縁切り材）
７…遮光シート
Ｓ…空隙
【図１】
0003203231.tif 000003
【図２】
0003203231.tif 000004
【図３】
0003203231.tif 000005
【図４】
0003203231.tif 000006
【図５】
0003203231.tif 000007
【図６】
0003203231.tif 000008